(57)【要約】      （修正有）【課題】連続的に乾燥空気を発生する、除湿機のコアユニットを提供する。【解決手段】コアユニット１００は、上方空気弁７０および下方空気弁４０を有し、空気弁の間に２つのタワー部２０，１０が、左右並列に配置される。圧縮機から加圧空気が下方空気弁へ流れると、下方空気弁は、左，右両タワー部２０，１０の内の一方にだけ空気が行くように決定し、両タワー部間に空気圧の差異を生じさせる。一方のタワー部へ進入した湿った空気はタワー部内部に充填された乾燥剤により除湿され、乾燥状態になり、上方空気弁へと進入して、乾燥空気として排出されるが、その一部は、均圧用スロット開口によってリンクされてもう一方のタワー部へも進入していく。そして、両タワー部の空気圧が等しくなると、下方空気弁４０は、先程とは別の方のタワー部を選択し、左，右両タワー部２０，１０を交互に使い、常に間断なく連続的に乾燥空気を排出するようにした。【選択図】図３
2007327739.tif 000002
【特許請求の範囲】
【請求項１】
湿った空気から水分を吸収し、その後、吸収した水分が乾燥した空気に取られるようになる乾燥剤と、
コアユニット内に並列に配置され、前記乾燥剤が充填され、それぞれ上方および下方開口を有する２つの左，右タワー部と、
前記両タワー部の各々の下方開口部に配設される下方空気弁であって、該下方空気弁を横方向に貫通して形成され且つ前記両タワー部の各々の下方端部に連結された通気路と、該通気路に対して垂直に形成され、通気路および両タワー部の各々の下方端部とそれぞれ連通している左，右水路と、該通気路と連通する外側孔と、から成る下方空気弁と、
前記下方空気弁に固着され、前記水路と連通し、前記通気路を通って各タワー部の下方開口とそれぞれ連通する左，右制御部と、
前記通気路内で前記左，右両水路間にあって、該通気路の左，右側部を交互に閉鎖するように配設された三方弁と、
前記両タワー部の上方開口に配置される上方空気弁であって、該上方空気弁に形成され、端部にねじが形成された内部経路と、該内部経路と各タワー部の各々の上方開口とに連通している左，右取付け用孔と、から成る上方空気弁と、
前記上方空気弁の左，右取付け用孔および左，右両タワー部の各々の上方開口に配置される逆止弁であって、内部空間室と、前記上方空気弁の各取付け用孔と連通する上端部と、下方開放端部と、前記空間室の壁を抜けて形成され、各々のタワー部の各上方開口と連通する均圧用スロット開口と、を有する逆止弁と、
から構成されることを特徴とする除湿機のコアユニット。
【請求項２】
前記コアユニットは、更に、
ドーム型をして頂点があり、前記両タワー部の各々の上方開口に配設される左，右上方フィルタと、
ドーム型をして頂点があり、前記両タワー部の各々の下方開口に配設される左，右下方フィルタと、
を含むことを特徴とする請求項１記載の除湿機のコアユニット。
【請求項３】
前記三方弁は、更に、
下方空気弁の通気路の中で、前記三方弁の左，右両側に、前記各々の水路に隣接してそれぞれ配設された弁座集成体と、
前記両弁座集成体の間に可動に配置されたボール部材と、
を含むことを特徴とする請求項２あるいは３のいずれかに記載の除湿機のコアユニット。
【請求項４】
前記各逆止弁は、更に、
該逆止弁の下部に配置された逆止座と、
前記空間室内に配置されたバネ部材と、
該空間室内に可動に配置され、前記バネ部材によって前記逆止弁の方へ押圧されている逆止ボールと、
を含むことを特徴とする請求項３記載の除湿機のコアユニット。
【発明の詳細な説明】
【技術分野】
【０００１】
本発明は除湿機に関し、更に具体的に云うと、除湿機のコアユニットに関するものである。
【背景技術】
【０００２】
保管室は、その中に保管された物品、とりわけ電子物品や、半導体、紙類などの物品を湿気から保護するために、乾燥した環境が求められる。
【０００３】
除湿機で空気を乾燥するには、機械的な抽出方法と乾燥剤を使用する方法の２つの方法がある。乾燥剤を使用する除湿機は、コアユニット（中心ユニット）、乾燥剤、ソレノイド、ソレノイド駆動器、脱水ゲートから構成される。
【０００４】
コアユニットは、空気入口、空気出口、水出口があり、乾燥剤が充填されている。乾燥剤は空気から水分を取り除く働きをし、飽和限度と乾燥限度の、２つの一定限度がある。
【０００５】
飽和限度とは、乾燥剤が水分を吸収し過ぎた状態を言い、乾燥限度とは、乾燥剤が依然として水分を吸収できる状態を言う。ソレノイドは、それぞれ、空気出口と空気入口に取り付けられていて、更に、ソレノイド駆動器に電子的に接続されている。ソレノイド駆動器はソレノイドを駆動して、空気入口或いは空気出口を「開」か、「閉」か、に決定する。脱水ゲートは空気入口の水出口に接続されている。
【発明の開示】
【発明が解決しようとする課題】
【０００６】
空気がコアユニットを通って流れると、空気中に含まれた水分が乾燥剤に吸収され、乾燥した空気が生成され、順に、この乾燥空気がコアユニットの空気出口を通過して、除湿機外部へ放出されるようになる。乾燥剤に吸収された水分が飽和限度に達すると、ソレノイド駆動器が付勢して、空気入口および空気出口を閉じ、脱水ゲートが開き、乾燥剤が乾燥限度に戻るまで、水出口から水分を放出する。水出口から水分が放出されているこの間は乾燥空気が発生しないので、除湿機は連続的に空気を乾燥することができず、乾燥率が下がることとなり、充分に空気を乾燥するためには、もっと大きなサイズの除湿機を設置しなければならない。
【０００７】
また、周囲環境から除湿するには窒素を利用する方法もあるが、窒素は非常に高価であるという問題もある。
【０００８】
本発明は、上述の問題点を解消するため、製造コストを引き下げるために少ない構成要素から成り、乾燥空気を連続的に流すようにすることのできる除湿機に対するコアユニットを提供することを目的とする。
【課題を解決するための手段】
【０００９】
本発明の除湿機のコアユニットは、左，右２つのタワー部と、内部に三方弁の配置された下方空気弁と、逆止弁が２個配設された上方空気弁と、前記左，右２つのタワー部それぞれに対応する２つの制御弁とから構成される。
左，右両タワー部は、それぞれ上方空気弁および下方空気弁の間に並列して配置され、それぞれに乾燥剤が充填されている。各制御弁は、下方空気弁を通過して、それぞれの対応するタワー部に接続されている。それぞれのタワー部の上部内には逆止弁が配設されていて、各タワー部内の乾燥空気を放出するように機能する。
圧縮機からの湿気を含んだ圧縮空気が下方空気弁へ流れ込むと、下方空気弁の中の三方弁が左，右どちらのタワー部へこの圧縮空気を流すかを決定し、決定した片方のタワー部へ圧縮空気を流し、タワー部内の乾燥剤で除湿し、乾燥空気となる。乾燥空気は、乾燥空気を発生しているタワー部に対応する逆止弁によって放出される。このとき、タワー部の上方部に配設された逆止弁の均圧用スロット開口によってもう一方のタワー部へリンクされることにより、左、右両タワー部間に空気圧の差異を生じさせる。そして、両タワー部の空気圧が互いに等しくなったとき、タワー部の対応制御弁が開けられると共に、三方弁が別の方のタワー部へ切り替わり、別の方のタワー部に圧縮空気を受け入れて乾燥工程が続行される間に、その前に使用したタワー部内の湿気を含んだ乾燥剤を完全に乾燥するようにする。
【００１０】
上述した操作が繰り返されることにより、２つのタワー部を使用して、交互に乾燥空気を発生することができ、乾燥空気は間断なく継続的に発生される。
【発明の効果】
【００１１】
本発明の乾燥コアユニットは、２つのタワー部を使用して交互に乾燥空気を発生できるようになっているため、一方のタワー部の乾燥剤が飽和限度になっても、他方のタワー部で乾燥空気を生成することができるので、乾燥空気は間断なく継続的に発生される。従って、乾燥効率が効果的になる。
また、常時乾燥空気が放出されるという性能を有することで、充分に乾燥させるための強力な乾燥機能を有するサイズの大きな除湿機を使用する必要がないので、大きな占有面積がいらないという設置場所に対する利点があり、結果として経済的効果を大いにもたらす。
また更に、本発明のコアユニットを使用した除湿機は、構造が簡単なため、製造コストを大幅に低減することができる。
【発明を実施するための最良の形態】
【００１２】
以下に、本発明の更なる利便および新規な特徴を伴う実施例を図面と共に説明することにする。
図１は本発明のコアユニットを組み入れた除湿機の部分平面図、図２は  本発明に従ったコアユニットを組み込んだ除湿機の一部断面側面図、図３は  図１および図２の除湿機用コアユニットの斜視図、図４は  図３のコアユニットの分解斜視図、図５は図３のコアユニットの部分中央断面動作説明図、図６は図３のコアユニットの部分中央断面動作説明図である。
【実施例１】
【００１３】
まず、図１および図２を参照すると、除湿機は、ケーシング１、コアユニット１００、事前乾燥機９０、圧縮機９１、付加フィルタ９２、通気孔９６、排気孔９３、水出口９４、コアユニット用水出口９５、流量計および圧力計を有する。
コアユニット１００、事前乾燥機９０、圧縮機９１、フィルタ９２は、ケーシング１の内部に装着されており、通気孔９６、排気口９３、水出口９４、コアユニット用水出口９５はケーシング１の壁部を通り抜け外部に突出するように配設されており、図示していないが、流量計および圧力計はケーシング１の上面部に取り付けられている。流量計および圧力計は、圧縮機９１からの空気出力の空気流と圧力値とを検知し、空気流と圧力値を表示する。
【００１４】
通気孔９６はケーシング１の壁部を通り抜け外部に突出して配設されていて、荷物保管室内の湿気のある空気を事前乾燥機９０へ供給する。事前乾燥機９０はケーシング１の内部に配設されていて、水出口９４に接続されている。湿った空気は水分を含んでいるので、事前乾燥機９０において湿った空気中の水分を或る程度事前に除去し、この水分は水出口９４から放出される。
【００１５】
更に、ケーシング１の中には圧縮機９１が配設されていて、事前乾燥機（pre-drier）９０とコアユニット１００とに接続されている。圧縮機９１が事前乾燥機９０から事前に或る程度乾燥された空気を供給されると、圧力を上げて圧縮空気を生成し、圧縮空気をコアユニット１００へ供給する。
【００１６】
図２から判るように、コアユニット１００は垂直方向へある程度傾斜角度を付けて除湿機のケーシング１内に配備されていて、フィルタ９２、コアユニット用水出口９５、圧縮機９１へと接続されている。コアユニット用水出口９５はケーシング１の壁部を通り抜け外部へ突出して配設されている。
【００１７】
コアユニット１００では、事前乾燥機９０により供給された事前にある程度乾燥された空気から更に水分を除去し、フィルタ９２へ、或いはまた直接、排気孔へ、乾燥空気を供給し、水出口を通して事前乾燥空気からの水分を排出する。
フィルタ９２はケーシング１の中に配設されていて、コアユニット１００からの乾燥した空気を濾過し、乾燥した濾過空気を排気口９３へ供給する。排気口９３はケーシング１の壁部を通り抜けて外部と連通して配設されており、乾燥空気或いは乾燥濾過空気を荷物保管室内へと流す。
こうして、除湿機は、貯蔵室とかコンテナー等の保管室内へ、乾燥空気、或いは、乾燥濾過空気を提供することができるようになる。
【００１８】
図３及びその破断斜視図である図４を参照して、本発明の除湿機のコアユニット１００の構成を更に詳細に説明するする。
本発明のコアユニット１００は、左、右のタワー部２０，１０と、下方空気弁４０、外側孔、左，右の制御弁６０，５０、上方空気弁７０、三方弁、左，右の逆止弁、タワー部用の各々の上，下フィルタ１２，１１、下方弁コネクタ４１、上方弁コネクタ７２、コア水出口管６１から構成されている。
【００１９】
左，右の両タワー部２０，１０は上方および下方空気弁７０，４０の間に並列に配置されていて、それぞれ乾燥剤３０が充填されている。タワー部１０，２０にはそれぞれ上方開口部と下方開口部が設けられている。
左、右のタワー部２０，１０に配設された各々の上，下水フィルタ１２，１１および１２，１１はそれぞれの形状がドーム型をしており、頂点部があり、それぞれの対応するタワー部１０，２０に据付けられて、タワー部１０，２０のそれぞれに対応する開口部を覆っている。
【００２０】
下方空気弁４０には、通気路４２と水路４０１，４０１がある。通気路４２は横方向に貫通して形成されていて、タワー部１０の下方端部と接続していて、外側孔と連通している。下方空気弁４０の内壁面には雌ねじが形成されていて、ここに下方弁コネクタ４１が螺着されて、この下方弁コネクタ４１を介して圧縮機９１に接続されており、これにより、圧縮機９１から圧縮空気が供給されるようになっている。水路４０１，４０１は通気路４２に対して垂直に形成されていて、それぞれ、タワー部１０，２０の各々の下方端部と連通している。
【００２１】
左，右の制御弁６０，５０が下方空気弁４０に固着されていて、それぞれ水路４０１，４０１に連通しており、開、閉できる弁を含んでいる。
更に、両方の制御弁６０，５０にはコア水出口管６１が接続されていて、コア水出口管６１を介して、各タワー部の乾燥剤に含まれた水分がコアユニット用水出口９５へと運び出される。
【００２２】
下方空気弁４０の通気路４２の内部で、両水路４０１，４０１の間に、三方弁が配設されていて、通気路４２のどちらか一方の側部を交互に閉鎖する。
そして、三方弁は、その各側部にそれぞれリング状の弁座４４，４５からなる弁座集成体が配置され、ボール４３を１個含んでいる。弁座４４，４５からなる左、右の弁座集成体は、それぞれ、下方空気弁４０の通気路の中で、三方弁の両側部に対して配置されている。ボール４３は各弁集成体の間に可動に配置されている。
【００２３】
圧縮機からの圧縮空気が下方空気弁４０を流れて行くと、２つの内の片方の制御弁の内、例えば右側の制御弁５０が開になり、それに対応する弁座集成体の便座４４，４５をボール４３が押し付けて通気路４２の左側側部に圧接されることで通気路が塞がれて、圧縮機からの圧縮空気を左側へ通過できないようにする。
【００２４】
前記圧縮空気は、右側のタワー部１０内に進入し、空気中の水分が乾燥剤に吸収され、乾燥した空気は上部のフィルタ１２を介して外方に排出される。その後、乾燥剤に吸収された水分はタワー部１０に進入してくる乾燥空気に水分を取られ、水分と空気は共にタワー部１０の下部からフィルタ１１を介して排出される。
【００２５】
つまり、各タワー部内に充填された乾燥剤３０は、湿気を含んだ空気から水分を吸収して空気の除湿を行ない、その後、吸収した水分をタワー部１０内の乾燥した空気に放出し、この水分を含んだ空気を制御弁５０から、コア水出口管６１を介して排出することで、乾燥機能を回復し、次の乾燥工程に備える。
【００２６】
上方空気弁７０は、左、右のタワー部２０，１０のそれぞれの上方開口部上に配設されており、内部通路７１と据付用孔が２個形成されている。上方空気弁７０内に形成された内部通路７１には、据付用端部が上方空気弁７０の側部を通り抜けて形成されている。該据付用端部は空気フィルタ９２へ、或いは直接、換気口９３へ接続される。各々の据付用孔は、それぞれ、内部通路７１と、タワー部２０，１０の上部開口とを連通する。
【００２７】
そして、各々の据付用孔とタワー部２０，１０の上方開口には、逆止弁がそれぞれ配設されている。逆止弁は、空間室８０と、バネ８２と、逆止ボール８３と、逆止座８４と、停止端部と、下方開放端部と、該空間室８０の壁部を貫通しタワー部の上方端部と連通する均圧用スロット開口８１とを有する。
【００２８】
前記逆止座８４は逆止弁の下端部に配置されている。逆止ボール８３は空間室内に可動に配置されており、バネ８２によって逆止座８４の方へ押し付けられている。空間室８０の上端部は、上方空気弁７０のそれぞれの対応する据付用孔と連通している。上方弁コネクタ７２が上方空気弁７０の据付用端部に配置されている。
【００２９】
上述した本発明の除湿機のコアユニットの構造に基づいて、コアユニットは連続的に乾燥空気を生成する。
【００３０】
図１，３、及び図５を参照して、本発明の動作説明を行なう。図５では、右側の制御弁５０が開いている。圧縮機９１からの事前乾燥された圧縮空気が下方空気弁４０の下方弁コネクタ４１を通って流れると、事前乾燥された圧縮空気がボール４３を押し付けて左側弁座４４，４５を押圧するようになり、通気路を塞ぐ。従って、事前乾燥された圧縮空気は右側タワー部１０だけを通過する。
【００３１】
タワー部１０には乾燥剤３０が充填されていて、事前にある程度乾燥された圧縮空気に含まれる水分が乾燥剤３０によって更に除去され、空気は乾燥状態になる。一方、タワー部１０内の乾燥剤３０はだんだんと水分を含んで、湿った状態になってくる。右側タワー部１０内部の圧力が上昇することにより、逆止弁内部の逆止ボール８０がバネ８２に抗して押し上げられ、内部通路７１に連通することで、内部通路７１へ乾燥空気が放出される。この乾燥空気が上方弁コネクタ７２を通過してフィルタ９２へ、あるいは、直接、排気口９３へと導かれ、物品保管室内へと排出される。
【００３２】
更にまた、内部通路７１内の乾燥空気は左側の逆止弁にも流れる。左側タワー部２０のフィルタ１２内の空間室８０には均圧用スロット開口８１があって、この均圧用スロット開口８１を通過して乾燥した圧縮空気がタワー部２０に徐々に流れ込んで行く。いったん左側制御弁６０が閉じられと、左側タワー部２０内の空気圧は上昇してゆき、右側タワー部１０の空気圧と等しいまでになる。
【００３３】
この時、右側制御弁５０が開く。乾燥剤３０は、その後に行なわれる左側タワー部２０の乾燥工程中に乾燥した空気の一部が右側タワー部１０へ徐々に進入して来ることで、吸収した水分が乾燥空気に取られ、空気と共に水分が制御弁５０からコア水出口管６１へと放出されてゆく。これによって、右側タワー部１０の湿気を含んだ乾燥剤３０が最初の乾燥機能を回復するようになる。
【００３４】
水分を含んだ空気が制御弁５０を通過する場合、かなり大きな音がするので、消音のために制御弁５０にマフラーを取り付けるとよい。
【００３５】
図１，図３，そして図６では、左側タワー部２０の乾燥工程に対し、制御弁６０が開く場合を示す。右側タワー部１０内の空気圧は左側タワー部２０の空気圧よりも低いので、制御弁６０が開くと、ボール４３が移動して、右側の弁集生体である弁座４４，４５を押圧するようになるので、圧縮機９１からの事前乾燥された圧縮空気は、今度は左側タワー部２０へ進入してくる。そして、上述したタワー部１０での工程が左側のタワー部２０へ切り替わり、乾燥空気が生成され、空気フィルタ９０あるいは排気口９３へ乾燥空気が放出される。
【００３６】
このように、本考案の除湿機のコアユニットは、右タワー部１０及び左タワー部２０間で交互に切り替わり繰り返され、連続的に乾燥した空気が流れるようになる。
【００３７】
除湿機に適用される本発明のコアユニットは、構造が簡単なため、製造コストが抑えられるようになると共に、乾燥空気流が中断せずに連続的に供給できることにより効率よく室内を乾燥することができるので、除湿機自体が従来のものよりも小さなサイズのものでよく、故に、更に実用的である。
【００３８】
本発明では好ましい実施例を前述の通り開示したが、これらは決して本発明に限定するものではなく、当該技術を熟知する者なら誰でも、本発明の精神と領域を脱しない範囲内で各種の変更や修正を加えることができ、従って本発明明の保護範囲は、特許請求の範囲で指定した内容を基準とする。
【図面の簡単な説明】
【００３９】
【図１】本発明のコアユニットを組み入れた除湿機の部分平面図。
【図２】本発明に従ったコアユニットを組み込んだ除湿機の一部断面側面図。
【図３】図１および図２の除湿機用コアユニットの斜視図。
【図４】図３のコアユニットの破断斜視図。
【図５】図３のコアユニットの部分中央断面動作説明図。
【図６】図３のコアユニットの部分中央断面動作説明図。
【符号の説明】
【００４０】
１      除湿機のケーシング
１０    右側タワー部
２０    左側タワー部
３０    乾燥剤
４０    下方空気弁４０
４０１  水路
４１    下方弁コネクタ
４２    通気路
４３    ボール
４４，４５  弁座
５０    右側タワー部用制御弁
６０    左側タワー部用制御弁
６１    コア水出口管
７０    上方空気弁
７１    内部通路
７２    上方弁コネクタ
８０    逆止弁の空間室
８１    均圧用スロット開口
８２    バネ
８３    逆止ボール
８４    逆止座
９０    事前乾燥機
９１    圧縮機
９２    フィルタ
９３    排気口  
９４    水出口
９５    コアユニット用水出口
９６    通気孔
１００  コアユニット
【図１】
2007327739.tif 000003
【図２】
2007327739.tif 000004
【図３】
2007327739.tif 000005
【図４】
2007327739.tif 000006
【図５】
2007327739.tif 000007
【図６】
2007327739.tif 000008